(57)【要約】    【課題】  レンズの送り精度を保証しつつ、光学系全体を通した状態で光学性能を調整することができ、高い光学性能を得ることを可能にする偏芯調整機構を有する沈胴式レンズ鏡筒を提供する。    【解決手段】  レンズ鏡筒を組み立てた状態において、フォーカスレンズユニット２０１の一部（ＡＦカバー１１０の２つの偏芯調整用突起１１２ａ，１１２ｂ）がレンズ鏡筒の外部に露出し、４群全ての光学系を通した状態で光学性能を確認しながら、その露出部を介してフォーカスレンズユニット２０１全体を外部から偏芯調整するようにする。フォーカスレンズユニット２０１は、レンズ保持枠１０４のほか、駆動源１０６やガイドバー１０８を固定保持し、偏芯調整後でも駆動源１０６やガイドバー１０８と４群レンズ１０４ａとの設計的な位置関係が変わることはなく、４群レンズ１０４ａの送り精度についても保証される。【選択図】        図５
2007047584.tif 000002
【特許請求の範囲】
【請求項１】
撮影光学系を構成する複数の光学要素を備え、撮影状態と沈胴状態の間で前記撮影光学系の駆動を行う沈胴式レンズ鏡筒において、
前記複数の光学要素のうちの少なくとも、所定のレンズと、該所定のレンズを保持するレンズ保持手段と、前記所定のレンズを光軸と平行に移動させる移動手段とを有するレンズユニット全体を、光軸と直交する方向に偏芯させるための偏芯調整機構を備えたことを特徴とする沈胴式レンズ鏡筒。
【請求項２】
前記レンズユニットは、当該沈胴式レンズ鏡筒の外側に露出する露出部材を有し、
前記偏芯調整機構は、前記露出部材を介して前記レンズユニット全体を外部から光軸と直交する方向に偏芯させることで前記所定のレンズの位置を調整する機構であることを特徴とする請求項１に記載の沈胴式レンズ鏡筒。
【請求項３】
前記所定のレンズは、被写体にピントを合わせるフォーカスレンズであることを特徴とする請求項１または２に記載の沈胴式レンズ鏡筒。
【請求項４】
当該沈胴式レンズ鏡筒の前面部に設けられたレンズ保護用のレンズバリアと、
撮影状態で前記レンズバリアを開き、沈胴状態で前記レンズユニットに当接して前記レンズバリアを閉じるレンズバリア開閉手段とを有することを特徴とする請求項１乃至３のいずれかに記載の沈胴式レンズ鏡筒。
【請求項５】
前記レンズバリア開閉手段は、前記露出部材を介して前記レンズユニット全体を外部から光軸と直交する方向に偏芯させた場合でも、前記レンズバリアの開閉を可能にする構成であることを特徴とする請求項４に記載の沈胴式レンズ鏡筒。
【請求項６】
撮影光学系を構成する複数の光学要素を備え、撮影状態と沈胴状態の間で前記撮影光学系の駆動を行う沈胴式レンズ鏡筒の偏芯調整方法であって、
前記複数の光学要素のうちの少なくとも、所定のレンズと、該所定のレンズを保持するレンズ保持手段と、前記所定のレンズを光軸と平行に移動させる移動手段とを有するレンズユニット全体を、光軸と直交する方向に偏芯させるための偏芯調整機構を設けた前記沈胴式レンズ鏡筒を組み立てた後、
前記撮影光学系全体の光学性能を確認しつつ、前記偏芯調整機構を用いて前記レンズユニットの偏芯調整を行うことを特徴とする沈胴式レンズ鏡筒の偏芯調整方法。
【発明の詳細な説明】
【技術分野】
【０００１】
本発明は、光学性能を満足させるための偏芯調整機構を備えた沈胴式レンズ鏡筒及びその偏芯調整方法に関するものである。
【背景技術】
【０００２】
従来、各レンズ群を収納した沈胴式レンズ鏡筒では、各レンズ群毎に、レンズを保持するレンズ保持枠を備え、撮影時には、ズーム動作により各レンズ保持枠を沈胴状態から光軸方向に繰り出し、これによって、各レンズ群をワイド（広角）やテレ（望遠）の撮影位置に配置する。
【０００３】
このような沈胴式レンズ鏡筒の組み立て時には、それぞれのレンズ保持枠にレンズを固定し、光軸と直交する方向に偏芯調整した後、レンズ保持枠とレンズを接着することで、各レンズのメカ的な位置を決定していた。
【０００４】
しかし、各レンズを光軸と直交する方向に偏芯調整したとしても、レンズ保持枠の部品精度や、レンズの位置決めをする工具の精度、レンズ鏡筒の組み立て精度などによって、誤差が積み上げられるため、レンズ鏡筒に組上がった状態での光学性能を満足することが困難であった。さらに、レンズ鏡筒が完成した状態では、鏡筒内のレンズ群の位置を偏芯調整することができないので、光学系全体の光学性能を確認しながら、レンズの偏芯調整をすることは困難であった。
【０００５】
上記問題に対して、レンズ保持枠に、鏡筒の外部に露出する露出部を設け、この露出部に鏡筒外部から調整力を与えることにより、レンズ保持枠に対して、光軸に直交する方向の位置調整を行う方法が提案されている。このような技術によって、各レンズ群の位置決め精度が十分でなくても、光学系全体の光学性能を確認しながら、レンズの偏芯調整を行うことができるので、満足のいく光学性能を得ることが可能となる（例えば、特許文献１参照）。
【０００６】
また、レンズを保持するレンズ枠と、レンズ枠を保持する保持部材を有するレンズ鏡筒において、前記保持部材に前記レンズ枠が光軸方向から突き当てられており、そして、この保持部材に対して、前記レンズ枠の光軸直交方向への偏芯調整と光軸方向への段階的な位置調整とを行わせるために、調整形状部材を設けた手法が提案されている。この提案によって、レンズの偏芯調整及び光軸方向の位置調整を、個々のレンズ鏡筒において容易に行うことができる（例えば、特許文献２を参照）。
【特許文献１】特開平１１−１７４３０１号公報
【特許文献２】特開２００２−３５０７０２号公報
【発明の開示】
【発明が解決しようとする課題】
【０００７】
しかしながら、上記特許文献１，２の技術では、レンズを保持するレンズ保持枠のみを鏡筒外部から偏芯調整させているので、レンズと、レンズ保持枠以外の部品との位置関係が合わなくなり、レンズの送り精度が悪くなる恐れがあった。
【０００８】
本発明は上記従来の問題点に鑑み、レンズの送り精度を保証しつつ、光学系全体を通した状態で光学性能を調整することができ、高い光学性能を得ることを可能にする偏芯調整機構を有する沈胴式レンズ鏡筒及びその偏芯調整方法を提供することを目的とする。
【課題を解決するための手段】
【０００９】
本発明は上記目的を達成するため、撮影光学系を構成する複数の光学要素を備え、撮影状態と沈胴状態の間で前記撮影光学系の駆動を行う沈胴式レンズ鏡筒において、前記複数の光学要素のうちの少なくとも、所定のレンズと、該所定のレンズを保持するレンズ保持手段と、前記所定のレンズを光軸と平行に移動させる移動手段とを有するレンズユニット全体を、光軸と直交する方向に偏芯させるための偏芯調整機構を備えたことを特徴とする。
【００１０】
また、本発明は、撮影光学系を構成する複数の光学要素を備え、撮影状態と沈胴状態の間で前記撮影光学系の駆動を行う沈胴式レンズ鏡筒の偏芯調整方法であって、前記複数の光学要素のうちの少なくとも、所定のレンズと、該所定のレンズを保持するレンズ保持手段と、前記所定のレンズを光軸と平行に移動させる移動手段とを有するレンズユニット全体を、光軸と直交する方向に偏芯させるための偏芯調整機構を設けた前記沈胴式レンズ鏡筒を組み立てた後、前記撮影光学系全体の光学性能を確認しつつ、前記偏芯調整機構を用いて前記レンズユニットの偏芯調整を行うことを特徴とする。
【発明の効果】
【００１１】
本発明によれば、レンズの送り精度を保証しつつ、光学系全体を通した状態で光学性能を調整することができ、高い光学性能を得ることが可能である。
【発明を実施するための最良の形態】
【００１２】
以下、本発明の沈胴式レンズ鏡筒及びその偏芯調整方法の実施の形態について、図面を参照しながら説明する。本実施形態の沈胴式レンズ鏡筒は、例えばデジタルカメラに適用される。但し、本形態において例示される構成部品の寸法、形状、それらの相対配置などは、本発明が適用される装置の構成や各種条件により適宜変更されるべきものであり、本発明がそれらの例示に限定されるものではない。
【００１３】
［第１の実施の形態］
＜レンズ鏡筒の全体構成＞
図１は、本発明の第１の実施形態に係る沈胴式レンズ鏡筒を有するデジタルカメラにおける撮影時のレンズ鏡筒の構成を示す断面図である。
【００１４】
デジタルカメラの撮影時には、図１に示すように、沈胴式レンズ鏡筒が繰り出した状態となる。本実施形態における沈胴式レンズ鏡筒は、４群レンズ構成であり、１群レンズ１０１ａを保持する１群鏡筒１０１と、２群レンズ１０２ａを保持する２群鏡筒１０２と、３群レンズ１０３ａを保持する３群鏡筒１０３と、４群レンズ１０４ａを保持する４群鏡筒１０４とがレンズ鏡筒の前面部から順次配置されて構成されている。
【００１５】
１群鏡筒１０１、２群鏡筒１０２及び３群レンズ１０３は、ズーム動作によって光軸上を移動することができるようになっている。１群鏡筒１０１、２群鏡筒１０２及び３群鏡筒１０３は変倍系のレンズ群であり、図示していない駆動源からギアを介してカム筒の回転によって光軸と平行に沈胴状態から移動し、各ズームポジション毎にそれぞれ所定の位置に配置される。
【００１６】
４群鏡筒１０４は、被写体にピントを合わせるためのフォーカスレンズ群であり、駆動源１０６と一体に構成されたリードスクリュー１０７の回転によって光軸と平行に移動する。リードスクリュー１０７の回転によって４群鏡筒１０４が光軸上を移動するときには、光軸と平行に移動できるようにガイドバー１０８によってガイドされるようになっている。
【００１７】
＜４群鏡筒１０４の構成＞
次に、本実施の形態の偏芯調整が行われる４群鏡筒１０４の構成について、図２〜図４を参照して説明する。
【００１８】
図２は、第１の実施形態に係わる４群鏡筒の展開図であり、図３は、４群鏡筒の組み立て状態（ユニット状態）を示す斜視図である。図４は、図３中の要部拡大断面図である。
【００１９】
４群鏡筒１０４は、図２に示すように、大きく分けて２つのユニットに分かれている。即ち、４群レンズ１０４ａを有するフォーカスレンズユニット２０１と、ＣＣＤ１１７を保持するＣＣＤホルダーユニット２０２である。ＣＣＤホルダーユニット２０２は、被写体を撮像するためのＣＣＤ１１７と、ＣＣＤ１１７を保持するＣＣＤホルダー１０９とから構成されている。
【００２０】
また、フォーカスレンズユニット２０１は、４群レンズ１０４ａ、４群レンズ保持枠１０４ｂ、駆動源１０６、リードスクリュー１０７、ＡＦカバー１１０、振れ止め１１０ａ、ナット１１４、ガイドバー１０８、及び引っ張りバネ１１５で構成されている。
【００２１】
４群レンズ１０４ａは、被写体を合焦する役割を果たすレンズであり、４群レンズ保持枠１０４ｂは４群レンズ１０４ａを保持する。駆動源１０６は４群レンズ保持枠１０４ｂを駆動し、リードスクリュー１０７は、駆動源１０６と一体に構成され４群レンズ保持枠１０４ｂを光軸と平行に移動させる。
【００２２】
ナット１１４は、４群レンズ保持枠１０４ｂと係合しリードスクリュー１０７に螺合することでリードスクリュー１０７の回転により４群レンズ保持枠１０４ｂを移動可能にする。ここで、ナット１１４がリードスクリュー１０７と螺合する際にリードスクリュー１０７の回転と一緒に回転しないようにするためにナット１１４にはＵ字の溝形状が設けられており、このＵ字の溝形状が４群レンズ保持枠１０４ｂのナット１１４との係合部の軸形状に嵌り込むことで、ナット１１４がリードスクリュー１０７と一緒に回転するのを防いでいる。
【００２３】
ガイドバー１０８は、リードスクリュー１０７の回転によって４群レンズ保持枠１０４ｂが光軸上を移動するときに光軸と平行に移動できるようにガイドする。引っ張りバネ１１５は、４群レンズ保持枠１０４ｂを付勢するバネであり、４群レンズ保持枠１０４ｂがリードスクリュー１０７の回転により光軸上を移動する際の光軸方向のガタを取り除く役割を果たす。この引っ張りバネ１１５は、４群レンズ保持枠１０４ｂとＡＦカバー１１０との間に取り付けられており、常に図３の矢印Ａの方向に付勢されている。
【００２４】
ＡＦカバー１１０には、駆動源１０６とガイドバー１０８が取り付けられている。駆動源１０６やガイドバー１０８がＡＦカバー１１０に取り付けられることにより、駆動源１０６の位置決めとガイドバー１０８の倒れを防ぐことができ、４群レンズ保持枠１０４ｂの送り精度が確保される。また、ＡＦカバー１１０は、後述する本実施の形態に係る偏芯調整を行う部品であり、ＡＦカバー１１０に駆動源１０６とガイドバー１０８が取り付けられているため、ＡＦカバー１１０を偏芯調整させると、４群レンズ１０４ａを含めたフォーカスレンズユニット２０１全体も偏芯するようになっている。
【００２５】
また、振れ止め１１０ａは、４群レンズ保持枠１０４ｂが光軸を移動する際に、リードスクリュー１０７の回転によって一緒に回転するのを防ぐ役割を果たし、ＡＦカバー１１０と一体で構成されている。振れ止め１１０ａと４群レンズ保持枠１０４ｂのＵ字の穴形状によって、４群レンズ保持枠１０４ｂがリードスクリュー１０７の回転と一緒に回転するのを防いでいる。
【００２６】
以上のような構成部品によりフォーカスレンズユニット２０１が組み立てられた後、ＣＣＤホルダー１０９に取り付けられる。
【００２７】
フォーカスレンズユニット２０１のＣＣＤホルダー１０９への取り付けは、図２のように２本のＡＦスクリュー１１１ａと２つのＡＦバネ１１６ａ，１１６ｂによって取り付けられる。ここで、ＡＦスクリュー１１１ａは段付き形状になっており、径の大きい方は螺子形状にはなっておらず単なるバー形状である。フォーカスレンズユニット２０１がＣＣＤホルダー１０９に取り付けられた状態を図３に示す。また、ＡＦスクリュー１１１ａによって、フォーカスレンズユニット２０１がＣＣＤホルダー１０９に取り付けられている取り付け部分の断面を図４に示す。
【００２８】
この図３及び図４から明らかなように、ＡＦスクリュー１１１ａによって、ＡＦカバー１１０がＣＣＤホルダー１０９に当接して取り付けられている。その際、ＡＦバネ１１６ａ，１１６ｂが、図４に示すようにＡＦスクリュー１１１ａとＡＦカバー１１０の間に取り付けられることで、ＡＦカバー１１０は図４の矢印Ｂの方向に付勢され、ＡＦカバー１１０の光軸上のガタを吸収することができる。
【００２９】
そして、ＡＦスクリュー１１１ａが通るＡＦカバー１１０の穴形状は、ＡＦスクリュー１１１ａよりも大きな径であるので、光軸方向と直交する方向に自由度（図４のＴ参照）があり、フォーカスレンズユニット２０１を光軸方向と直交する方向に移動することが可能となっている。
【００３０】
＜偏芯調整機構＞
次に、フォーカスレンズユニット２０１を光軸と直交する方向に偏芯させるための偏芯調整機構について、図５を参照して具体的に説明する。
【００３１】
図５は、４群鏡筒１０４の後背部を示す斜視図である。
【００３２】
同図に示すように、ＡＦカバー１１０は、偏芯調整機構を構成する、偏芯調整用突起１１２ａ，１１２ｂと調整固定用突起１１３ａ，１１３ｂを有している。偏芯調整用突起１１２ａ，１１２ｂは、ＡＦカバー１１０の後背部に設けられており、図５に示すように、突起の真ん中に穴が開いているような形状となっている。この２箇所の穴に工具の調整ピンを差し込むことで、ＡＦカバー１１０を偏芯させるのである。
【００３３】
調整固定用突起１１３ａ，１１３ｂも同様にＡＦカバー１１０の後背部に設けられており、図５に示すように凸形状となっている。この２箇所の突起は、偏芯調整をするためのものではなく、偏芯調整後に接着剤を流し込むための糊溝である。
【００３４】
ＣＣＤホルダー１０９には、図５に示すように、偏芯調整用突起１１２ａ，１１２ｂと調整固定用突起１１３ａ，１１３ｂがレンズ鏡筒外部に露出可能なように、４箇所に穴部１０９ａ〜１０９ｄが設けられている。そして、ＣＣＤホルダー１０９の穴部１０９ａ〜１０９ｄの径とＡＦカバー１１０の偏芯調整用突起１１２ａ，１１２ｂの径との差が、ＡＦカバー１１０の偏芯可能量となるのである。つまり、ＡＦカバー１１０の偏芯量は上記２部品の径の差によって規制することができる。
【００３５】
レンズ鏡筒を組み立てた後、４群全ての光学系を通した状態で光学性能を確認しながら、レンズ鏡筒の後背部から、ＡＦカバー１１０の２つの偏芯調整用突起１１２ａ，１１２ｂに調整ピンを差し込み、この調整ピンを径方向に動かすことでＡＦカバー１１０を偏芯調整する。このとき、ＣＣＤホルダー１０９の穴部１０９ａ〜１０９ｄとＡＦカバー１１０の偏芯調整用突起１１２ａ，１１２ｂは円形状をしているので、光軸と直交する方向ならば、上下左右の規制はなく、自由に位置を調節することができる。例えば、本実施の形態においては、ＡＦカバー１１０をＣＣＤホルダー１０９に対して、光軸方向と直交する方向ならば、上下左右どちらにでも片側０．２ｍｍずつ動かすことが可能である。
【００３６】
このようにＡＦカバー１１０を光軸と直交する方向に偏芯調整することで、４群レンズ１０４ａを有するフォーカスレンズユニット２０１全体も同時に光軸と直交する方向に偏芯調整される。つまり、４群レンズ１０４ａも同時に偏芯調整されることにより、光学系全体の光学性能が調節されることになる。また、フォーカスレンズユニット２０１は、前述したように駆動源１０６とガイドバー１０８なども備えているので、ＡＦカバー１１０の偏芯調整によって、４群レンズ１０４ａと、駆動源１０６やガイドバー１０８との位置関係が変化することはなく、４群レンズ１０４ａの送り精度が悪化する恐れはない。
【００３７】
調整ピンを使ってフォーカスレンズユニット２０１を偏芯調整した後は、調整固定用突起１１３ａ，１１３ｂに、ＡＦカバー１１０を固定するための接着剤を流し込み、フォーカスレンズユニット２０１を位置決めするのである。
【００３８】
＜本実施の形態の利点＞
本実施の形態によれば、レンズ鏡筒を組み立てた状態において、フォーカスレンズユニット２０１の一部（ＡＦカバー１１０の２つの偏芯調整用突起１１２ａ，１１２ｂ）がレンズ鏡筒の外部に露出している。そして、４群全ての光学系を通した状態で光学性能を確認しながら、その露出部を介してフォーカスレンズユニット２０１全体を外部から偏芯調整するようにした。これにより、光学系全体を通した状態で光学性能を調整することができ、高い光学性能を得ることが可能となる。
【００３９】
また、本実施の形態では、従来のようにレンズ保持枠だけを偏芯調整するのではなく、レンズ保持枠１０４のほか、駆動源１０６やガイドバー１０８を固定保持しているフォーカスレンズユニット２０１全体を偏芯調整するため、偏芯調整後でも駆動源１０６やガイドバー１０８と、４群レンズ１０４ａとの設計的な位置関係が変わることはなく、４群レンズ１０４ａの送り精度についても保証される。
【００４０】
［第２の実施の形態］
第２の実施の形態では、１群鏡筒内にレンズバリアを駆動させる部品が組み込まれた構成の沈胴式レンズ鏡筒において、フォーカスレンズユニット２０１を偏芯調整する例について、図６及び図７を参照して説明する。
【００４１】
図６は、本発明の第２の実施形態に係る沈胴式レンズ鏡筒における１群鏡筒の展開図である。
【００４２】
本実施の形態の沈胴式レンズ鏡筒は、１群鏡筒１０１内にレンズバリア３００が組み込まれている。レンズバリア３００は、２対の大羽根３０４ａと小羽根３０４ｂによってレンズ開口部を塞ぐことで、沈胴時に、レンズに傷が付いたり、ゴミが混入したりするのを防止する役割を果たしている。沈胴状態においては、図６に示すように、大羽根３０４ａと小羽根３０４ｂが合わさって閉じた状態になり、撮影状態においてレンズ鏡筒が繰り出すと羽根３０４が開いて撮影可能になる。
【００４３】
このレンズバリア３００は、４枚の羽根３０４を開閉するムーブリング３０１と、羽根３０４が摺動するバリアベース３０３と、羽根３０４が摺動して羽根が暴れるのを防ぐと共に羽根開き状態において羽根が外から見えないようにする役割を果たすバリアカバー３０５と、金属キャップ３０６とで構成されている。また、撮影状態においては、ムーブリング３０１は開きバネ３０２によって常に羽根３０４を開こうとする方向に回転付勢されている。
【００４４】
図７は、沈胴状態でのレンズバリア３００とＡＦカバー１１０の様子を示した斜視図である。図８（ａ），（ｂ），（ｃ）は、沈胴時のレンズバリア３００とＡＦカバー１１０との関係を示す模式図である。
【００４５】
電源をオフすると同時に１群鏡筒１０１が沈胴し、レンズバリア３００も１群鏡筒１０１に合わせて沈胴していく（図８（ａ）参照）。ムーブリング３０１は沈胴しながらＡＦカバー１１０の切り欠き部１１０ｂに当たり、さらにムーブリング３０１が開きバネ３０２の力に抵抗しながら回転することでレンズバリア３００の４枚の羽根３０４が閉じ始める。このムーブリング３０１の回転（沈胴）の途中で、レンズバリア３００の４枚の羽根３０４が完全に閉じきることになる（図８（ｂ）参照）。レンズバリア３００が完全に閉じてからもムーブリング３０１は回転しながら沈胴していく（図８（ｃ）参照）。
【００４６】
ここで、レンズバリア３００の羽根３０４が完全に閉じてからムーブリング３０１が沈胴しきるまでの間に、ムーブリング３０１が回転する量を回転余裕量という。この回転余裕量が小さい場合には、ムーブリング３０１が完全に沈胴した状態において初めてレンズバリア３００の羽根３０４が閉じ切ることになる。つまり、本実施の形態の偏芯調整機構では、ＡＦカバー１１０側は偏芯されるが、レンズバリア３００は偏芯されないため、ＡＦカバー１１０の偏芯の方向によっては、レンズバリア３００の羽根３０４が完全に閉じきらない場合が発生する恐れがあった。
【００４７】
そこで、本実施の形態では、ムーブリング３０１の回転余裕量を大きくとるようにしている。これにより、仮にＡＦカバー１１０に対してレンズ鏡筒外部から最大量の偏芯調整がなされたとしても、ムーブリング３０１の回転余裕量の方を大きくすることができるので、レンズ鏡筒の沈胴状態においてレンズバリア３００を完全に閉じきることができる。
【００４８】
＜本実施の形態の利点＞
以上のように本実施の形態によれば、ムーブリング３０１の回転余裕量を大きくとるようにしたので、ＡＦカバー１１０に対して鏡筒外部から最大量の偏芯調整がなされたとしても、レンズ鏡筒の沈胴状態においてレンズバリア３００を完全に閉じきることができる。即ち、沈胴式レンズ鏡筒において、偏芯調整機構とバリア開閉機構を併設ことが可能になる。
【００４９】
＜各実施の形態の変形例＞
なお、上記各実施形態においては、フォーカスレンズユニット２０１を偏芯させることで光学性能を調整していたが、偏芯調整させるレンズはフォーカスレンズでなくてもよいことは言うまでもない。また、上記各実施形態はレンズ鏡筒後背部から偏芯調整を行ったが、調整箇所はこれに限定されず、例えばレンズ鏡筒側面部から行っても構わない。
【図面の簡単な説明】
【００５０】
【図１】第１の実施形態に係る撮影時のレンズ鏡筒の構成を示す断面図である。
【図２】第１の実施形態に係わる４群鏡筒の展開図である。
【図３】４群鏡筒の組み立て状態（ユニット状態）を示す斜視図である。
【図４】図３中の要部拡大断面図である。
【図５】４群鏡筒の後背部を示す斜視図である。
【図６】第２の実施形態に係る沈胴式レンズ鏡筒における１群鏡筒の展開図である。
【図７】沈胴状態でのレンズバリアとＡＦカバーの様子を示した斜視図である。
【図８】沈胴時のレンズバリアとＡＦカバーとの関係を示す模式図である。
【符号の説明】
【００５１】
１０１  １群鏡筒
１０１ａ  １群レンズ
１０２  ２群鏡筒
１０２ａ  ２群レンズ
１０３  ３群鏡筒
１０３ａ  ３群レンズ
１０４  ４群鏡筒
１０４ａ  ４群レンズ
１０４ｂ  ４群レンズ保持枠
１０６  駆動源
１０７  リードスクリュー
１０８  ガイドバー
１１０  ＡＦカバー
１１２ａ，１１２ｂ  偏芯調整用突起
１１３ａ，１１３ｂ  調整固定用突起
２０１  フォーカスレンズユニット
２０２  ＣＣＤホルダーユニット
３００  レンズバリア
３０１  ムーブリング
３０４ａ  バリア大羽根
３０４ｂ  バリア小羽根
【図１】
2007047584.tif 000003
【図２】
2007047584.tif 000004
【図３】
2007047584.tif 000005
【図４】
2007047584.tif 000006
【図５】
2007047584.tif 000007
【図６】
2007047584.tif 000008
【図７】
2007047584.tif 000009
【図８】
2007047584.tif 000010